(57)【要約】      （修正有）【課題】収納フレームの先端に係止突起と本体の射出口に係止部を設けることにより、収納フレームの射出移動距離を制御することができる電動ステープラを提供する。【解決手段】ステープル（綴じ針）２を補充するにあたって付圧係止されていた収納フレーム３０を解放突出する解除ボタン４０の設けられた電動でステープル（綴じ針）を綴着する電動ステープラ１０において、収納フレームが解除ボタンの操作により突出する際に弾性体の付勢により勢いよく飛び出さないように前記収納フレームの突出移動距離を制御するための係止突起３４を収納フレームに設けるとともに本体に係止突起を係止するストッパーである係止部を設けた構造である。【選択図】図３
2006297503.tif 000002
【特許請求の範囲】
【請求項１】
ステープル（綴じ針）を補充するにあたって付圧係止されていた収納フレームを解放突出する解除ボタンの設けられた電動でステープル（綴じ針）を綴着する電動ステープラにおいて、前記収納フレームが解除ボタンの操作により突出する際に弾性体の付勢により勢いよく飛び出さないように前記収納フレームの突出移動距離を制御するための係止突起を前記収納フレームに設けるとともに本体に該係止突起を係止するストッパーである係止部を設けたことを特徴とする電動ステープラ
【請求項２】
前記電動ステープラは、前記収納フレームの移動方向前端の両側面に側面に対して垂直となる係止突起を対称に形成し、本体の射出口の側面に内側に垂直となるように一対の係止部を形成したことを特徴とする請求項１記載の電動ステープラ
【発明の詳細な説明】
【技術分野】
【０００１】
本発明は、書類束等を電動でステープル（綴じ針）により綴着させる電動ステープラにおいて、特に、ステープル針の補充の際に弾性体により付勢されていたフレームが必要以上に勢いよく飛び出することを防止することができる係止部と係止突起を装備した電動ステープラに関する。
【背景技術】
【０００２】
従来、書類等のシート束をファイルするための道具としてステープラが多く使用されている。手動のステープラが多いが、シート束が厚いと強い押圧力が必要となる。そこで、人力で綴じ器を押圧するのに替えて電動式のステープラが考案された。、電動ステープラは電気の駆動力で自動的に綴じることが可能であるため便利に利用されている。典型的な電動ステープラの例としては、特開２０００−３１７８６１号で開示された技術がある。
【０００３】
この種の電動ステープラは、綴じ針（ステープル）を補充する際に後部や本体側面のいずれかに設置される解除のためのスイッチ（ボタン）を押すことにより、弾性体により収納フレームが突出する構成である。しかし、収納フレームが強く付勢されているため、解除すると収納フレーム全体が一気に飛び出してしまっていた。これにより、収納フレームや電動ステープラ全体に衝撃が生じ、使用頻度により破損の原因の一つとなっていた。また、飛び出す際に、突出口を覗き込み、目を怪我してしまう恐れがあった。
そこで、収納フレームの射出移動距離を制御して衝撃の発生を小さくでき、安全性の高い電動ステープラの開発が待たれていた。
【０００４】
【特許文献１】特開
【発明の開示】
【発明が解決しようとする課題】
【０００５】
本発明は上記問題を解決するために、収納フレームの先端に係止突起と本体の射出口に係止部を設けることにより、収納フレームの射出移動距離を制御することができる電動ステープラを提供することを目的としている。
【課題を解決するための手段】
【０００６】
上記目的を達成するために本発明に係る電動ステープラは、ステープル（綴じ針）を補充するにあたって付圧係止されていた収納フレームを解放突出する解除ボタンの設けられた電動でステープル（綴じ針）を綴着する電動ステープラにおいて、前記収納フレームが解除ボタンの操作により突出する際に弾性体の付勢により勢いよく飛び出さないように前記収納フレームの突出移動距離を制御するための係止突起を前記収納フレームに設けるとともに本体に該係止突起を係止するストッパーである係止部を設けた構造である。
【０００７】
また、前記電動ステープラは、前記収納フレームの移動方向前端の両側面に側面に対して垂直となる係止突起を対称に形成し、本体の射出口の側面に内側に垂直となるように一対の係止部を形成した構造でもある。
【発明の効果】
【０００８】
本発明に係る電動ステープラは、上記詳述した通りの構成であるので、以下のような効果がある。
１  本体に収納フレームの係止突起と係止する係止部を設けることにより、収納フレームの突出距離を制御することが可能となり衝撃を少なくすることができ、さらに安全性を高めることができた。
２  収納フレームの前端に係止突起を形成し、本体の突出口に係止部を形成したことにより、解除ボタンを押してもすぐに収納フレームを止めることができる。
【発明を実施するための最良の形態】
【０００９】
以下本発明にかかる電動ステープラを図面に示す実施例に基づいて詳細に説明する。図１は電動ステープラの全体図であり、図２は電動ステープラの収納フレーム収納されている際の側断面図であり、図３は収納フレームの係止突起と本体の係止部が係止している際の側断面図であり、図４は電動ステープラの収納フレーム収納されている際の平断面図であり、図５は収納フレームの係止突起と本体の係止部が係止している際の平断面図である。
【００１０】
電動ステープラ１０は、本体２０と、駆動部と、駆動機構と、基板部と、収納フレーム３０と、スイッチ部とからなる。
本発明の電動ステープラ１０は、本体２０と収納フレーム３０の係止動作に特徴があり、電動ステープラを構成する他の部分は従来のものと同様である為に、ここでは詳述しないものとする。
【００１１】
本体２０は、電動ステープラ１０の内部に格納される駆動部や駆動機構や収納フレーム３０等の構成部品を内包する樹脂製のフレーム本体である。この実施例では、平断面図に表されるように本体２０の突出口２２に係合部２４が形成されている。係合部２４は、本体の突出口２２の側面に一対となって形成されており、収納フレーム３０の係止突起３４と係止する構造である。
【００１２】
収納フレーム３０は、回動軸３８により回動自在に装着されていて、綴じ針（ステープル）１２を収納するものである。この実施例では係止突起３４は、前端部３２の両側面に対を成すように形成されている。また、収納フレーム３０の後端には、後述する解除部材５０と係合する係合部３６が形成されている。この実施例では収納フレームの主要部分が金属製となっており、前端部３２が樹脂製の素材と部材が分かれているが、前端部３２を一体化させた収納フレーム３０も同じ構造とすることができる。係止突起３４は、側面図及び平面図で表されるように、収納フレーム３０が突出する際に本体２０の係止部２４と係止する構造である。
【００１３】
本発明の電動ステープラ１０の動作を詳細に説明する。収納フレーム３０は、本体２０の後部に設けられた解除ボタン４０を押圧することにより、解除部材５０が押圧されて、解除部材５０の突起５２が係合している収納フレーム３０の係合部３６との係合が解除され、弾性体（図示しない）により本体２０の突出口２２より前方に突出する構成である。従来は、このまま収納フレーム３０全体が突出する構成であったが、本発明では本体２０の係止部２４が収納フレーム３０の係止突起３４に係止することにより、フレーム全体が必要以上に飛び出したり突出しない構成である。係止後は、収納フレーム３０は前端が上下動可能な構成であるため、収納フレーム３０を下に動かし、本体２０の係止部２４と収納フレーム３０の係止突起３４を解除することにより収納フレーム全体を引き出すことが可能となる。
【００１４】
また、この実施例では、収納フレームを本体に収納する際に簡単に収納できるように、係止突起３４の上部の内側の角３４ａを削り、丸みを帯びさせている。また、逆に本体２０の係合部２４も係止突起３４の角３４ａと当接する箇所（図示しない）に同じ丸みを帯びさせている。これにより、収納フレームを本体に収納する際に丸みを帯びさせている角同士が滑り簡単に収納することができる。
【００１５】
本発明では、係合部及び係合突起を前端に設ける構成としたが、収納フレーム中間に係止突起を設けて、対応する位置にさらに本体に係合部を設ける構成としてもよい。また、片側面だけに設ける構成や、対面の突起の位置をずらして設けることも可能である。さらに、この実施例では突起が垂直に設けられているが、これに限定されるものではない。
【００１６】
従来では解除ボタンを押すと収納フレーム全体が突出していたが、この構成により、突出移動距離を制御できるため、電動ステープラ全体にかかる衝撃を回避することができ、故障頻度を減少させることが可能となった。
【図面の簡単な説明】
【００１７】
【図１】電動ステープラの全体図
【図２】電動ステープラの収納フレーム収納されている際の側断面図
【図３】収納フレームの係止突起と本体の係止部が係止している際の側断面図
【図４】電動ステープラの収納フレーム収納されている際の平断面図
【図５】収納フレームの係止突起と本体の係止部が係止している際の平断面図
【符号の説明】
【００１８】
１０    電動ステープラ
１２    綴じ針（ステープル）
２０    本体
２２    突出口
２４    係止部
３０    収納フレーム
３２    前端部
３４    係止突起
３４ａ  角
３６    係合部
３８    回動軸
４０    解除ボタン
５０    解除部材
５２    突起
【図１】
2006297503.tif 000003
【図２】
2006297503.tif 000004
【図３】
2006297503.tif 000005
【図４】
2006297503.tif 000006
【図５】
2006297503.tif 000007